(57)【特許請求の範囲】
【請求項１】
液体インクを貯留したインク貯留部と、インク貯留部から液体インクが供給される筆記部を先端に有するペン先部とを備え、該ペン先部を露出させた状態で筆記具の外装を構成する胴軸に装着される筆記具用リフィルであって、インク貯留部に接続されて該インク貯留部からの液体インクを吸蔵するインク吸蔵手段と、該インク吸蔵手段とペン先部との間に介設され、インク吸蔵手段からの液体インクを毛細管現象で保持して該インク吸蔵手段における液体インクの吸蔵バランスを図るコレクタと、一端側の所定範囲にインク吸蔵手段が充填されるとともに、インク吸蔵手段よりも他端側にコレクタが嵌入される筒状の調整手段保持体と、前記コレクタに貫設され、インク吸蔵手段が吸蔵する液体インクをペン先部の筆記部に誘導するインク誘導手段とを備え、前記インク貯留部は、一端が閉塞するとともに他端が開口した筒状に形成され、前記調整手段保持体の一端部が当該インク貯留部の他端部に接続されることで、液体インクを収容する空間を液密に画定していることを特徴とする筆記具用リフィル。
【請求項２】
前記インク吸蔵手段は、液体インクの最大吸蔵量がインク貯留部における液体インクの最大貯留量よりも小さく設定されている請求項１に記載の筆記具用リフィル。
【請求項３】
前記インク吸蔵手段の液体インクの最大吸蔵量は、インク貯留部の液体インクの最大貯留量の０．０３倍〜０．１５倍に設定されている請求項２に記載の筆記具用リフィル。
【請求項４】
前記インク吸蔵手段は、吸液性を有する繊維材で構成されている請求項１乃至３の何れか１項に記載の筆記具用リフィル。
【請求項５】
液体インクを貯留したインク貯留部と、該インク貯留部から液体インクが供給される筆記部を先端に有するペン先部とを備えた筆記具であって、インク貯留部に接続されて該インク貯留部からの液体インクを吸蔵するインク吸蔵手段と、該インク吸蔵手段とペン先部との間に介設され、インク吸蔵手段からの液体インクを毛細管現象で保持して該インク吸蔵手段における液体インクの吸蔵バランスを図るコレクタと、一端側の所定範囲にインク吸蔵手段が充填されるとともに、インク吸蔵手段よりも他端側にコレクタが嵌入される筒状の調整手段保持体と、前記コレクタに貫設され、インク吸蔵手段が吸蔵する液体インクをペン先部の筆記部に誘導するインク誘導手段とを備え、前記インク貯留部は、一端が閉塞するとともに他端が開口した筒状に形成され、前記調整手段保持体の一端部が当該インク貯留部の他端部に接続されることで、液体インクを収容する空間を液密に画定していることを特徴とする筆記具。
【請求項６】
前記インク吸蔵手段は、液体インクの最大吸蔵量がインク貯留部における液体インクの最大貯留量よりも小さく設定されている請求項５に記載の筆記具。
【請求項７】
前記インク吸蔵手段の液体インクの最大吸蔵量は、インク貯留部の液体インクの最大貯留量の０．０３倍〜０．１５倍に設定されている請求項６に記載の筆記具。
【請求項８】
前記インク吸蔵手段は、吸液性を有する繊維材で構成されている請求項５乃至７の何れか１項に記載の筆記具。
【発明の詳細な説明】
【技術分野】
【０００１】
本発明は、筆記具用リフィル及び筆記具に関する。
【背景技術】
【０００２】
これまで、種々タイプの筆記具が提供されているが、筆ペンや、ボールペン、万年筆等の筆記具は、共通の構成として、液体インクを貯留したインク貯留部と、該インク貯留部から液体インクが供給される筆記部（ペンポイント）を先端に有するペン先部とを備えている。
【０００３】
そして、この種の筆記具には、外装を構成する筒状の胴軸の一部又は全部に液体インクがそのまま貯留され、ペン先部が胴軸の一端に連設されたもの（筆記具の外装を構成する胴部をインク貯留部に兼用させたもの）や、外装を構成する筒状の胴軸に対し、インク貯留部及びペン先部を備えた外観棒状の筆記具用リフィルが挿入され、該筆記具用リフィルのペン先部が外部に露呈した状態で胴軸の一端に固定されたものがあるが、いずれも液体インクが筆記部に供給されるものであるため、筆記部からのインク漏れや液体インクの垂れ落ちの原因となる液体インクの過剰供給を抑制できる構成になっている。
【０００４】
具体的には、この種の筆記具には、綿やフェルト等のインク吸蔵手段がインク貯留部内に充填され、該インク吸蔵手段に含浸させた液体インクを筆記部に供給するようにしたもの（以下、このタイプを中綿式という）や、インク貯留部からの液体インクを毛細管現象で保持可能なコレクタがインク貯留部とペン先部との間に介設され、コレクタに貫設された中継芯等のインク誘導手段でインク貯留部内の液体インクを筆記部に供給するようにしたもの（以下、このタイプを直液式という）がある（例えば、特許文献１及び２参照）。
【０００５】
前記中綿式の筆記具は、インク吸蔵手段の吸液性（吸水力）で液体インクを保持することで、筆記部に対して液体インクが過剰に供給されないようになっている。
【０００６】
これに対し、直液式の筆記具は、コレクタによるインク貯留部に対する液体インクの出し入れで該インク貯留部の内部圧力を調整することで、筆記部に対して液体インクが過剰に供給されないようになっている。すなわち、直液式の筆記具は、インク貯留部の内圧上昇に伴って該インク貯留部から押し出される液体インクをコレクタが毛細管力で保持する一方、インク貯留部の内圧が低下したときにコレクタの保持する液体インクがインク貯留部に戻るようになっており、インク貯留部内の圧力バランスに応じて液体インクを該インク貯留部から出し入れすることで、筆記部に対して液体インクが過剰に供給されないようになっている。
【０００７】
これにより、この種の筆記具は、いずれのタイプにおいても、筆記部からのインク漏れやインクの垂れ落ちが抑制されている。
【先行技術文献】
【特許文献】
【０００８】
【特許文献１】特開２００２−２３４２９１号公報
【特許文献２】実用新案登録第２５１７４３２号公報
【発明の概要】
【発明が解決しようとする課題】
【０００９】
ところで、前記中綿式の筆記具は、インク貯留部全体に充填されたインク吸蔵手段に液体インクを含浸させているため、インク貯留部に液体インクをそのまま貯留した直液式の筆記具に比して液体インクの貯留量が少ないといった問題がある。
【００１０】
また、中綿式の筆記具は、インク吸蔵手段の吸液性（インク保持力）が抵抗となり、筆記部に対して筆記に最適な液量で液体インクが供給されないことがある。特に、中綿式の筆記具は、インク貯留部内の液体インクの残存量が少なくなると、インク吸蔵手段全体で残存する少量の液体インクを吸蔵しようとするため、筆記部に対する液体インクの供給量が格段に少なくなり、筆記時のかすれ等の発生が顕著になる。
【００１１】
これに対し、直液式の筆記具は、インク誘導手段を介してインク貯留部内の液体インクが筆記部に直接供給されるため、筆記部の液体インクが潤沢になり、筆記時にかすれ等が発生することがない。
【００１２】
しかしながら、直液式の筆記具は、液体インクがインク貯留部から筆記部に直接供給されるため、筆記部に対する液体インクの供給量が多くなりがちである。また、直液式の筆記具は、コレクタが保持する液体インクの量が当該コレクタにおける液体インクの最大保持量になると、それ以上の液体インクをコレクタで保持することができなくなるため、インク貯留部の内部圧力のバランスをとることができなくなり、筆記部に対して液体インクが過剰に供給されてしまうことがある。
【００１３】
そこで、本発明は、斯かる実情に鑑み、筆記部からのインク漏れや液体インクの垂れ落ちを確実に防止しつつ、筆記に最適な液量の液体インクをペン先部の先端にある筆記部に供給することのできる筆記具用リフィル及び筆記具を提供することを課題とする。
【課題を解決するための手段】
【００１４】
本発明に係る筆記具用リフィルは、液体インクを貯留したインク貯留部と、インク貯留部から液体インクが供給される筆記部を先端に有するペン先部とを備え、該ペン先部を露出させた状態で筆記具の外装を構成する胴軸に装着される筆記具用リフィルであって、インク貯留部に接続されて該インク貯留部からの液体インクを吸蔵するインク吸蔵手段と、該インク吸蔵手段とペン先部との間に介設され、インク吸蔵手段からの液体インクを毛細管現象で保持して該インク吸蔵手段における液体インクの吸蔵バランスを図るコレクタと、一端側の所定範囲にインク吸蔵手段が充填されるとともに、インク吸蔵手段よりも他端側にコレクタが嵌入される筒状の調整手段保持体と、前記コレクタに貫設され、インク吸蔵手段が吸蔵する液体インクをペン先部の筆記部に誘導するインク誘導手段とを備え、前記インク貯留部は、一端が閉塞するとともに他端が開口した筒状に形成され、前記調整手段保持体の一端部が当該インク貯留部の他端部に接続されることで、液体インクを収容する空間を液密に画定していることを特徴とする。
【００１５】
上記構成の筆記具用リフィルによれば、インク吸蔵手段が吸蔵した液体インクのみがインク誘導手段を介して筆記部に供給されるため、インク貯留部に貯留した液体インクを筆記部に直接供給する直液式の筆記具のように、筆記部に対して液体インクが過剰に供給されることがない。そして、上記構成の筆記具用リフィルは、インク吸蔵手段がインク貯留部に接続されて該インク貯留部からの液体インクを吸蔵するように構成されているため、インク貯留部に液体インクが存在する間、インク吸蔵手段が最大吸蔵量の液体インクを吸蔵することになる。すなわち、上記構成の筆記具用リフィルは、インク貯留部に液体インクが存在する間、インク吸蔵手段が液体インクで飽和した状態となる。従って、上記構成の筆記具用リフィルは、中綿式の筆記具のように筆記部に供給される液体インクが不足することがなく、筆記部の液体インクを潤沢にすることができ、良好な筆記が可能となる。
【００１６】
そして、上述の如く、インク吸蔵手段が液体インクで飽和している状態でインク貯留部に液体インクが存在すると、インク吸蔵手段からペン先部側に液体インクが染み出てしまう虞があるが、本発明の筆記具用リフィルは、インク吸蔵手段からの液体インクをコレクタが毛細管現象で保持して該インク吸蔵手段における液体インクの吸蔵バランスを図るように構成されているため、ペン先部（筆記部）に必要以上の液体インクが供給されることがなく、筆記部からの液体インク漏れや液体インクの垂れ落ちが確実に防止される。
【００１７】
また、上記構成の筆記具用リフィルは、コレクタが毛細管現象で液体インクを保持するように構成されているため、筆記によってインク吸蔵手段の液体インクが消耗され、インク吸蔵手段の吸蔵能力に余裕が出たときに、コレクタの保持する液体インクがインク吸蔵手段に戻り、インク誘導手段を介して筆記部に供給されることになる。
【００１８】
従って、本発明の筆記具用リフィルは、筆記部からのインク漏れや液体インクの垂れ落ちを確実に防止しつつ、筆記に最適な液量の液体インクを筆記部に供給することができる。
【００１９】
本発明の筆記具用リフィルの一態様として、前記インク吸蔵手段は、液体インクの最大吸蔵量がインク貯留部における液体インクの最大貯留量よりも小さく設定されていることが好ましい。このようにすれば、液体インク残量の多少に拘わらずインク貯留部内に液体インクが存在する間、インク吸蔵手段が液体インクを潤沢に吸蔵することなり、インク誘導手段を介して筆記に最適な液量の液体インクを筆記部に供給することができる
【００２０】
この場合、前記インク吸蔵手段の液体インクの最大吸蔵量は、インク貯留部の液体インクの最大貯留量の０．０３倍〜０．１５倍に設定されていることが好ましい。このようにすれば、インク吸蔵手段が吸蔵する液体インクの吸蔵量よりも、インク貯留部に貯留される液体インクの貯留量が格段に多くなるため、使用開始からインク貯留部内の液体インクを使い切るとき又は使い切る直前まで、インク吸蔵手段の液体インクを潤沢にすることができ、液体インクが無くなる或いは略無くなるまで良好な筆記が可能となる。
【００２１】
本発明の筆記具用リフィルの他態様として、前記インク吸蔵手段は、吸液性を有する繊維材で構成されていることが好ましい。
【００２２】
本発明に係る筆記具は、液体インクを貯留したインク貯留部と、該インク貯留部から液体インクが供給される筆記部を先端に有するペン先部とを備えた筆記具であって、インク貯留部に接続されて該インク貯留部からの液体インクを吸蔵するインク吸蔵手段と、該インク吸蔵手段とペン先部との間に介設され、インク吸蔵手段からの液体インクを毛細管現象で保持して該インク吸蔵手段における液体インクの吸蔵バランスを図るコレクタと、一端側の所定範囲にインク吸蔵手段が充填されるとともに、インク吸蔵手段よりも他端側にコレクタが嵌入される筒状の調整手段保持体と、前記コレクタに貫設され、インク吸蔵手段が吸蔵する液体インクをペン先部の筆記部に誘導するインク誘導手段とを備え、前記インク貯留部は、一端が閉塞するとともに他端が開口した筒状に形成され、前記調整手段保持体の一端部が当該インク貯留部の他端部に接続されることで、液体インクを収容する空間を液密に画定していることを特徴とする。
【００２３】
上記構成の筆記具によれば、インク吸蔵手段が吸蔵した液体インクのみがインク誘導手段を介して筆記部に供給されるため、インク貯留部に貯留した液体インクを筆記部に直接供給する直液式の筆記具のように、筆記部に対して液体インクが過剰に供給されることがない。そして、上記構成の筆記具は、インク吸蔵手段がインク貯留部に接続されて該インク貯留部からの液体インクを吸蔵するように構成されているため、インク貯留部に液体インクが存在する間、インク吸蔵手段が最大吸蔵量の液体インクを吸蔵することになる。すなわち、上記構成の筆記具は、インク貯留部に液体インクが存在する間、インク吸蔵手段が液体インクで飽和した状態となる。従って、上記構成の筆記具は、中綿式の筆記具のように筆記部に供給される液体インクが不足することがなく、筆記部の液体インクを潤沢にすることができ、良好な筆記が可能となる。
【００２４】
そして、上述の如く、インク吸蔵手段が液体インクで飽和している状態でインク貯留部に液体インクが存在すると、インク吸蔵手段からペン先部側に液体インクが染み出てしまう虞があるが、本発明の筆記具は、インク吸蔵手段からの液体インクをコレクタが毛細管現象で保持して該インク吸蔵手段における液体インクの吸蔵バランスを図るように構成されているため、ペン先部（筆記部）に必要以上の液体インクが供給されることがなく、筆記部からの液体インク漏れや液体インクの垂れ落ちが確実に防止される。
【００２５】
また、上記構成の筆記具は、コレクタが毛細管現象で液体インクを保持するように構成されているため、筆記によってインク吸蔵手段の液体インクが消耗され、インク吸蔵手段の吸蔵能力に余裕が出たときに、コレクタの保持する液体インクがインク吸蔵手段に戻り、インク誘導手段を介して筆記部に供給されることになる。
【００２６】
従って、本発明の筆記具は、筆記部からのインク漏れや液体インクの垂れ落ちを確実に防止しつつ、筆記に最適な液量の液体インクを筆記部に供給することができる。
【００２７】
本発明の筆記具の一態様として、前記インク吸蔵手段は、液体インクの最大吸蔵量がインク貯留部における液体インクの最大貯留量よりも小さく設定されていることが好ましい。このようにすれば、液体インク残量の多少に拘わらずインク貯留部内に液体インクが存在する間、インク吸蔵手段が液体インクを潤沢に吸蔵することなり、インク誘導手段を介して筆記に最適な液量の液体インクを筆記部に供給することができる。
【００２８】
この場合、前記インク吸蔵手段の液体インクの最大吸蔵量は、インク貯留部の液体インクの最大貯留量の０．０３倍〜０．１５倍に設定されていることが好ましい。このようにすれば、インク吸蔵手段が吸蔵する液体インクの吸蔵量よりも、インク貯留部に貯留される液体インクの貯留量が格段に多くなるため、使用開始からインク貯留部内の液体インクを使い切るとき又は使い切る直前まで、インク吸蔵手段の液体インクを潤沢にすることができ、液体インクが無くなる或いは略無くなるまで良好な筆記が可能となる。
【００２９】
本発明の筆記具の他態様として、前記インク吸蔵手段は、吸液性を有する繊維材で構成されていることが好ましい。
【発明の効果】
【００３０】
以上のように、本発明に係る筆記具用リフィルによれば、筆記部からのインク漏れや液体インクの垂れ落ちを確実に防止しつつ、筆記に最適な液量の液体インクをペン先部の先端にある筆記部に供給することができるという優れた効果を奏し得る。
【００３１】
また、本発明に係る筆記具においても、筆記部からのインク漏れや液体インクの垂れ落ちを確実に防止しつつ、筆記に最適な液量の液体インクをペン先部の先端にある筆記部に供給することができるという優れた効果を奏し得る。
【図面の簡単な説明】
【００３２】
【図１】本発明の一実施形態に係る筆記具の全体図を示す。
【図２】同実施形態に係る筆記具の全体断面図を示す。
【図３】同実施形態に係る筆記具の部分拡大断面図であって、（ａ）は、ペン先部、インク吸蔵手段、及びコレクタを含む部分拡大断面図を示し、（ｂ）は、（ａ）のＩ−Ｉ断面を示し、（ｃ）は、（ａ）のＩＩ−ＩＩ断面を示す。
【図４】本発明の他実施形態に係る筆記具の全体断面図を示す。
【発明を実施するための形態】
【００３３】
以下、本発明の一実施形態に係る筆記具について、添付図面を参照しつつ説明する。
【００３４】
かかる筆記具は、図１に示す如く、外装を構成する胴軸２の一端側にペン先部３１が固定されている。
【００３５】
より具体的に説明すると、本実施形態に係る筆記具１は、図２に示す如く、筒状の胴軸２と、該胴軸２に装着される筆記具用リフィル（以下、単にリフィルという）３とを備えている。
【００３６】
前記胴軸２は、一本の筒状体で構成されてもよいが、本実施形態においては、一端側が分離可能に構成されている。具体的には、前記胴軸２は、一端が開口した筒状の胴軸本体２０と、該胴軸本体２０の一端部に対して着脱可能な先筒体２１とを備えている。
【００３７】
本実施形態に係る胴軸本体２０は、樹脂成型品で構成されている。該胴軸本体２０は、他端部が閉塞し、一端部の内周面に雌ねじ２００が形成されている。
【００３８】
前記先筒体２１は、筒状に形成されて両端が開口している。そして、先筒体２１は、外観において一端側から他端側に向けて先細りするように外径が設定されている。そして、先筒体２１は、一端部の外周に雄ねじ２１０が形成されており、胴軸本体２０の雌ねじ２００に対して雄ねじ２１０を螺合させることで、該胴軸本体２０に対して同心で連結されるようになっている。
【００３９】
本実施形態に係る先筒体２１は、内部の穴が段付き状に形成されており、一端側の穴が他端側の穴よりも大径になるように形成されている。本実施形態において、先筒体２１は、大径穴Ｈ１に後述する調整手段保持体３５が圧入され、小径穴Ｈ２にペン先部３１（ペン先保持体３１１）が挿通されている。これにより、本実施形態に係る先筒体２１は、調整手段保持体３５に固着された状態になっており、胴部２の一構成でありながら、リフィル３の一構成にもなっている。
【００４０】
前記リフィル３は、液体インクを貯留したインク貯留部３０と、インク貯留部３０からの液体インクが供給される筆記部３１０を先端に有するペン先部３１と、インク貯留部３０に接続されて該インク貯留部３０からの液体インクを吸蔵するインク吸蔵手段３２と、該インク吸蔵手段３２とペン先部３１との間に介設され、インク吸蔵手段３２からの液体インクを毛細管現象で保持して該インク吸蔵手段３２における液体インクの吸蔵バランスを図るコレクタ３３と、該コレクタ３３に貫設され、インク吸蔵手段３２が吸蔵する液体インクをペン先部３１の筆記部３１０に誘導するインク誘導手段３４とを備えている。
【００４１】
前記インク貯留部３０は、液体インクを収容する空間を液密に画定しており、内部に流動性のある低粘度の液体インクが充填されている。具体的に説明すると、本実施形態に係るインク貯留部３０は、筒状に形成され、一方の端部が閉塞している。そして、本実施形態に係るインク貯留部３０は、他端部にインク吸蔵手段３２を保持した調整手段保持体３５が接続されることで液密になっており、内部に液体インクを充填した状態で維持できるようになっている。なお、本実施形態に係る筆記具１に採用される液体インクは、流動性のあるものであればよく、顔料を含む水性インクや蛍光インク等の各種インクは勿論のこと、当該筆記具１が筆ペンである場合には、液体インクとして墨液が採用される。
【００４２】
前記ペン先部３１は、図３（ａ）に示す如く、供給された液体インクを保持可能に構成された筆記部３１０と、該筆記部３１０を保持するペン先保持体３１１とを備えている。
【００４３】
筆記部３１０は、液体インクを毛細管力や吸液力で保持可能なフェルトチップや毛束等で構成されたものや、液体インクを外面に付着させるもの等で構成される。本実施形態において、前記筆記部３１０は、複数の毛Ｂ…を束ねた毛束で構成されている。複数の毛Ｂ…は、樹脂繊維であり、それぞれの一端が一体的に溶着されることで毛束を構成している。そして、筆記部３１０は、複数の毛Ｂ…を溶着することによって、一端部に毛束の径方向外方に延出したフランジＦが形成されている。
【００４４】
前記ペン先保持体３１１は、筒状に構成され、前記筆記部３１０が先端側を外部に延出させるようにして挿通されている。そして、該ペン先保持体３１１は、前記調整手段保持体３５の一端部に対して圧入されており、該調整手段保持体３５に対して固定されている。本実施形態に係る筆記具１は、上述の如く、胴軸２の先筒体２１がリフィル３の一構成になっているため、ペン先保持体３１１の先端部に径方向外方に突出した掛止爪３１２が形成されており、先筒体２１の先端側を該掛止爪３１２と調整手段保持体３５の先端とで挟み込んで固定するようになっている。
【００４５】
本実施形態に係るリフィル３は、インク吸蔵手段３２及びコレクタ３３が共通の調整手段保持体３５によって保持されている。前記調整手段保持体３５は、両端が開口した筒状に形成されており、一端部がインク貯留部３０（筒状体）の一端開口に対して同心で圧入されることで、インク貯留部３０に対して液密に接続されている。
【００４６】
そして、インク吸蔵手段３２は、綿やフィエルト等の吸液性を有する繊維材で構成されており、調整手段保持体３５の一端側の所定範囲に充填されている。
【００４７】
そして、本実施形態に係るインク吸蔵手段３２は、液体インクの最大吸蔵量がインク貯留部３０における液体インクの最大貯留量よりも小さく設定されている。本実施形態において、前記インク吸蔵手段３２の液体インクの最大吸蔵量は、インク貯留部３０の液体インクの最大貯留量の０．０３倍〜０．１５倍に設定されている。
【００４８】
そして、前記コレクタ３３は、従来から万年筆等の直液式の筆記具に採用されてきた、いわゆる、羽状調節体と同様に構成されている。具体的には、コレクタ３３は、中心線上にインク誘導手段３４を貫設するための貫通穴Ｈが穿設された主軸部３３１と、該主軸部３３１の軸線方向に間隔をあけて配置され、該主軸部３３１の外面から延出する複数の仕切羽３３２…とを備えている。前記主軸部３３１は、両端部に径方向外方に延出した鍔部３３３が形成されており、両鍔部３３３間の外面に前記複数の仕切羽３３２…が延設されている。
【００４９】
前記複数の仕切羽３３２…は、何れも主軸部３３１の略全周から延出して円環状をなしている。前記複数の仕切羽３３２…は、隣り合う仕切羽３３２…間に毛細管力で液体インクが流れ込むように間隔が設定されており、一般的に、主軸部３３１の軸線方向において他端側に向かうにつれて広くなるように配置されている。
【００５０】
そして、一方の鍔部３３３及び複数の仕切羽３３２…のそれぞれには、図３（ｂ）及び図３（ｃ）に示す如く、主軸部３３１からの延出方向に延びるスリットＳが該主軸部３３１の軸線方向で一列をなすように形成されている。なお、本実施形態に係る筆記具１（コレクタ３３）は、前記スリットＳが仕切羽３３２を超えて主軸部３３１内に入り込むように形成されている。また、複数の仕切羽３３２…のそれぞれには、図３（ｂ）に示す如く、前記スリットＳに対して仕切羽３３２の周方向でずれた位置に空気交換用の切欠部Ｃが設けられている。該切欠部Ｃは、仕切羽３３２が延出方向の先端から基端（主軸部３３１側）に向けて切り欠かれて形成されており、主軸部３３１の軸線方向から見た開口面積が前記スリットＳよりも広く設定されている。
【００５１】
そして、上記構成のコレクタ３３は、図３（ａ）に示す如く、一方の鍔部３３３をインク吸蔵手段３２と対向させた状態でインク吸蔵手段３２よりも他端側に位置するように調整手段保持体３５内に嵌入されている。すなわち、コレクタ３３は、鍔部３３３をインク吸蔵手段３２に接近させた状態で調整手段保持体３５内に嵌入されている。これにより、一方の鍔部３３３のスリットＳは、インク吸蔵手段３２と対向した状態になっている。
【００５２】
なお、図示しないが、本実施形態に係る筆記具１は、前記調整手段保持体３５のコレクタ３３が嵌入される位置よりも他端側が内外に連通しており、外部から空気を取り込めるようになっている。すなわち、調整手段保持体３５内を密閉にすると、液体インクの消費に伴って内部圧力が低くなったときに、液体インクを筆記部３１０に供給できなくなるため、当該筆記具１は、調整手段保持体３５内に外部から空気を取り込めるようになっている。
【００５３】
前記インク誘導手段３４は、いわゆる、中継芯である。具体的には、インク誘導手段３
４は、全体が吸液性を有したもので、棒状に形成されている。すなわち、インク誘導手段３４は、吸液性の優れた素材（連続気泡の形成された樹脂成型品やフェルト等の繊維材等）で構成され、当該素材がインク吸蔵手段３２とペン先部３１（筆記部３１０）とに跨る長さの棒状に成型されたものである。
【００５４】
そして、該インク誘導手段３４は、コレクタ３３（主軸部３３１）の貫通穴Ｈに挿入された状態で、一端側がインク吸蔵手段３２（綿等）に刺し込まれ、他端側がペン先部３１（筆記部３１０）に刺し込まれている。なお、本実施形態に係る筆記具１は、筆記部３１０とコレクタ３３との間に環状のスペーサー３６が介装されており、インク誘導手段３４の他端側は、スペーサー３６に挿通された状態で筆記部３１０に刺し込まれている。これにより、インク誘導手段３４は、インク吸蔵手段３２が吸蔵した液体インクを筆記部３１０に供給できるようになっている。
【００５５】
本実施形態に係る筆記具１は、以上の通りであり、前記リフィル３のインク吸蔵手段３２がインク貯留部３０に接続されて該インク貯留部３０からの液体インクを吸蔵するように構成されているため、インク貯留部３０に液体インクが存在する間、インク吸蔵手段３２が最大吸蔵量の液体インクを吸蔵することになる。すなわち、上記構成のリフィル３は、インク貯留部３０に液体インクが存在する間、インク吸蔵手段３２が液体インクで飽和した状態となる。
【００５６】
これにより、上記構成のリフィル３は、インク吸蔵手段３２の吸蔵した液体インクがインク誘導手段３４を介して筆記部３１０（ペン先部３１）に供給される。
【００５７】
そして、本実施形態に係るリフィル３は、前記インク吸蔵手段３２の液体インクの最大吸蔵量がインク貯留部３０における液体インクの最大貯留量よりも小さく設定されているため、液体インク残量の多少に拘わらずインク貯留部３０内に液体インクが存在する間、インク吸蔵手段３２の液体インクが潤沢になり、インク吸蔵手段３２が液体インクで飽和した状態になる。
【００５８】
特に、前記インク吸蔵手段３２の液体インクの最大吸蔵量は、インク貯留部３０の液体インクの最大貯留量の０．０３倍〜０．１５倍であるため、インク吸蔵手段３２が吸蔵する液体インクの吸蔵量よりも、インク貯留部３０に貯留される液体インクの貯留量が格段に多くなるため、使用開始からインク貯留部３０の液体インクを使い切るとき又は使い切る直前まで、インク吸蔵手段３２の液体インクが潤沢になり、液体インクが無くなる或いは略無くなるまで良好な筆記が可能となる。
【００５９】
このように、上記構成のリフィル３は、インク吸蔵手段３２が吸蔵している液体インクのみが筆記部３１０に対して順次供給されるため、筆記部３１０の液体インクが潤沢になるが、インク貯留部３０にペン先部３１が直接接続された従来の筆記具１やリフィル３のように筆記部３１０に対して液体インクが過剰に供給されることがない。
【００６０】
そして、上述の如く、インク吸蔵手段３２が液体インクで飽和している状態でインク貯留部３０に液体インクがあるとインク吸蔵手段３２からペン先部３１側に液体インクが染み出てしまう虞があるが、本実施形態に係るリフィル３は、インク吸蔵手段３２からの液体インクをコレクタ３３が毛細管現象で保持して該インク吸蔵手段３２における液体インクの吸蔵量のバランスを図るように構成されているため、ペン先部３１に必要以上の液体インクが供給されることがなく、筆記部３１０からの液体インク漏れや、液体インクの垂れ落ちが確実に防止される。
【００６１】
具体的には、本実施形態に係るリフィル３が備えたコレクタ３３は、主軸部３３１の外周に延設された複数の仕切羽３３２…及び鍔部３３３に対して主軸部３３１の軸線方向で一列をなすようにスリットＳが形成されているため、インク吸蔵手段３２から染み出てきた液体インクが鍔部３３３及び仕切羽３３２のスリットＳ（一列をなす複数のスリットＳ）による毛細管現象でコレクタ３３内に引き込まれ、該コレクタ３３内に引き込まれた液体インクは、複数の仕切羽３３２間の毛細管力で仕切羽３３２，３３２間に引き込まれることになる。
【００６２】
これにより、インク吸蔵手段３２の最大吸蔵量を超えた分の液体インク（インク吸蔵手段３２から溢れ出た液体インク）がコレクタ３３に保持される結果、インク吸蔵手段３２から溢れ出ようとする液体インクがインク誘導手段３４に誘導されて筆記部３１０にまで導かれることがない。
【００６３】
そして、本実施形態に係る筆記具１は、コレクタ３３が大気開放された領域内に配置され、また、仕切羽３３２…のスリットＳと異なる位置に切欠部Ｃが設けられているため、筆記に伴ってインク吸蔵手段３２の液体インクが消耗された時など（インク吸蔵手段３２の吸蔵能力に余裕が出たとき）にコレクタ３３の保持していた液体インクがスリットＳからインク吸蔵手段３２に戻ることになり、結果としてインク誘導手段３４を介して筆記部３１０に供給されることになる。
【００６４】
従って、本実施形態に係るリフィル３は、筆記部３１０からのインク漏れや液体インクの垂れ落ちを確実に防止しつつ、筆記に最適な液量の液体インクをペン先部３１の先端にある筆記部３１０に供給することができる。
【００６５】
なお、本発明は、上記実施形態に限定されるものではなく、本発明の要旨を逸脱しない範囲で適宜変更可能であることは勿論のことである。
【００６６】
上記実施形態において、筆記具１の外装を構成する胴軸２に対して装着するリフィル３にインク貯留部３０、ペン先部３１、インク吸蔵手段３２、及びコレクタ３３を設けるようにしたが、これに限定されるものではなく、例えば、図４に示す如く、インク貯留部３０及び調整手段保持体３５の外径を使用者が把持するのに適した外径に設定し、インク貯留部３０及び調整手段保持体３５で筆記具１の外装を構成する胴軸２とし、その構成のみで筆記具１としてもよい。
【００６７】
上記実施形態において、ペン先部３１の筆記部３１０を毛束で構成したが、これに限定されるものではなく、例えば、筆記部３１０は、上述の如く、フェルトチップで構成してもよいし、ペン先保持体３１１に回転自在に装着されたボールで構成したりしてもよい。また、ペン先部３１を万年筆のペン先で構成しても勿論よい。すなわち、本発明は、液体インクを貯留するインク貯留部３０と該インク貯留部３０に貯留された液体インクが供給されるペン先部２１とを備えたものであれば、ペンの種類に関係なく適用可能である。
【００６８】
上記実施形態において、インク貯留部３０と調整手段保持体３５とを別体で成型し、これらを連結するようにしたが、これに限定されるものではなく、例えば、インク貯留部３０と調整手段保持体３５とを一体的に成型したものであってもよい。また、これとは逆に、調整手段保持体３５をインク吸蔵手段３２の保持する部分とコレクタ３３の保持する部分とに分割して形成し、該分割した調整手段保持体３５を連結した上で、当該調整手段保持体３５をインク貯留部３０に連結するようにしてもよい。
【００６９】
上記実施形態において、胴軸２を胴軸本体２０と先筒体２１とで構成し、先筒体２１をリフィル３の一構成にもしたが、これに限定されるものではなく、例えば、先筒体２１をリフィル３から独立した構成にし、胴軸本体２０にリフィル３を挿入した上で、先筒体２１を胴軸本体２０に螺合させるようにしたものであってもよい。この場合、先筒体２１は、胴軸本体２０に螺合した状態で、ペン先部３１の少なくとも筆記部３１０が外部に露出した状態を維持させつつリフィル３が胴軸本体２０から抜け出るのを阻止できるように構成することは言うまでもない。
【００７０】
上記実施形態において、インク吸蔵手段３２における液体インクの最大吸蔵量をインク貯留部３０における液体インクの最大貯留量よりも小さくなるようにしたが、これに限定されるものではなく、例えば、インク吸蔵手段３２における液体インクの最大吸蔵量とインク貯留部３０における液体インクの最大貯留量とが同量になるようにしてもよいし、インク吸蔵手段３２における液体インクの最大吸蔵量をインク貯留部３０における液体インクの最大貯留量よりも小さくなるようにしてもよい。
【００７１】
但し、このようにすれば、初期の段階（インク貯留部３０にある液体インクの量が最大貯留量と略同等の量であり、且つインク吸蔵手段３２が吸蔵する液体インクが最大吸蔵量である場合）において、インク吸蔵手段３２の液体インクが潤沢になるが、筆記に伴う液体インクの消費でインク貯留部３０の液体インクがインク吸蔵手段３２に順次吸蔵され、早い段階でインク貯留部３０内の全ての液体インクがインク吸蔵手段３２に吸蔵されてしまう。
【００７２】
そうすると、インク貯留部３０内の液体インクが無くなってインク吸蔵手段３２にしか液体インクが存在しなくなってしまうため、インク吸蔵手段３２の吸液性が抵抗となって筆記部３１０に液体インクが供給されにくくなる状況が早い段階で発生してしまう。従って、収容した液体インクが無くなる又は略無くなる段階まで筆記部３１０に液体インクを適正に供給するには、上記実施形態と同様に、インク吸蔵手段３２における液体インクの最大吸蔵量がインク貯留部３０における液体インクの最大貯留量よりも小さく設定されることが好ましく、前記インク吸蔵手段３２の液体インクの最大吸蔵量がインク貯留部３０の液体インクの最大貯留量の０．０３倍〜０．１５倍（中央値が０．０９倍）に設定されることがより好ましい。
【符号の説明】
【００７３】
１…筆記具、２…胴軸、３…リフィル、２０…胴軸本体、２１…先筒体、３０…インク貯留部、３１…ペン先部、３２…インク吸蔵手段、３３…コレクタ、３４…インク誘導手段、３５…調整手段保持体、３６…スペーサー、２００…雌ねじ、２１０…雄ねじ、３１０…筆記部、３１１…ペン先保持体、３１２…掛止爪、３３１…主軸部、３３２…仕切羽、３３３…鍔部、Ｂ…毛、Ｃ…切欠部、Ｆ…フランジ、Ｈ…貫通穴、Ｈ１…大径穴、Ｈ２…小径穴、Ｓ…スリット
【図１】
0005923637.tif 000002
【図２】
0005923637.tif 000003
【図３】
0005923637.tif 000004
【図４】
0005923637.tif 000005